(57)【要約】  【課題】  周縁に向かい上昇する傾斜面を備えた養殖槽においても、比較的容易に魚類や甲殻類などの水産物を捕獲することができる捕獲装置を提供する。  【解決手段】  前面の開口から後端の閉鎖部に向けて狭くなるように形成された網と、網が取り付けられた枠組立体と、前面枠に掛合された策状体とを有し、枠組立体は、網開口を固定する前面枠と、網後端を固定するため前面枠よりも小さく形成された後部枠と、前面枠と後部枠を連結する複数の側部枠材とからなり、側部枠材のうち一対は、装置を牽引して養殖槽内から引き揚げるときに養殖槽の傾斜面を摺動するように配置されたものである。傾斜面を摺動する側部枠材の一対には、錘を設けたり、あるいは側部枠材よりも幅の広い長尺プレートを取り付けても良い。【選択図】  図３
2007244300.tif 000002
【特許請求の範囲】
【請求項１】
周縁に向かって上昇する傾斜面を備えた養殖槽において水産物を捕獲する装置であって、前面の開口から後端の閉鎖部に向けて狭くなるように形成された網と、前記網が取り付けられた枠組立体と、枠組立体に掛合された策状体とを有し、
前記枠組立体は、前記策状体及び網の開口を固定する前面枠と、網の後端を固定するため前面枠よりも小さく形成された後部枠と、前面枠と後部枠を連結する複数の側部枠材とからなり、前記側部枠材のうち一対は、装置を牽引して養殖槽内から引き揚げるときに養殖槽の傾斜面を摺動するように配置されたものである水産物の捕獲装置。
【請求項２】
前記養殖槽の傾斜面を摺動する側部枠材の一対には錘が設けられたことを特徴とする請求項１に記載の水産物の捕獲装置。
【請求項３】
前記側部枠材の一対には、該側部枠材よりも幅が広い長尺プレートを設け、該長尺プレートを介して養殖槽の傾斜面を摺動させることを特徴とする請求項１に記載の水産物の捕獲装置。
【請求項４】
前記枠組立体は管状の枠材から形成され、管内に水を導き入れるように所定の枠材に孔が設けられたものである請求項１に記載の水産物の捕獲装置。
【請求項５】
前記網の後端の閉鎖部には、水産物の取り出しが可能なように開閉自在な開閉手段が設けられたものである請求項１に記載の水産物の捕獲装置。
【発明の詳細な説明】
【技術分野】
【０００１】
本発明は周縁に向かい上昇する傾斜面を備えた養殖槽で水産物を捕獲するための装置に関する。
【背景技術】
【０００２】
稚魚や稚エビ等の水産物の養殖場では、少量の出荷が要求されることがあり、このような場合、簡易に水産物を捕獲する手段として四手網が使用される。四手網は、弓なりになった四本の竹で正方形の網を張り広げたものであり、網を水中に敷き沈め、その網の上に魚類や甲殻類が集まるタイミングを狙って網を上げることにより、これら水産物を捕獲するものである。
【０００３】
しかしながら、四手網は平面状に網を張り広げたものであるため、網を水面まで上げる途中で魚類や甲殻類の多くが逃げてしまい、所要量の水産物を捕獲するためには手間が掛かり過ぎるという問題があった。
また養殖槽のなかには、例えば、特許文献１に記載されたように、周縁に向かい上昇する傾斜面が形成されたものもあり、このような養殖槽では水底の深さが一様ではないため、水産物を四手網で捕獲することは容易ではなかった。
【特許文献１】特開２００３−２３９１４号公報
【発明の開示】
【発明が解決しようとする課題】
【０００４】
本発明の目的は、周縁に向かい上昇する傾斜面を備えた養殖槽においても、比較的容易に魚類や甲殻類などの水産物を捕獲することができる捕獲装置を提供することである。
【課題を解決するための手段】
【０００５】
本発明によれば、周縁に向かって上昇する傾斜面を備えた養殖槽において水産物を捕獲する装置であって、前面の開口から後端の閉鎖部に向けて狭くなるように形成された網と、前記網が取り付けられた枠組立体と、前面枠に掛合された策状体とを有し、前記枠組立体は、前記策状体及び網の開口を固定する前面枠と、網後端を固定するため前面枠よりも小さく形成された後部枠と、前面枠と後部枠を連結する複数の側部枠材とからなり、前記側部枠材のうち一対は、装置を牽引して養殖槽内から引き揚げるときに養殖槽の傾斜面を摺動するように配置されたものである水産物の捕獲装置を提供することにある。
【０００６】
前記養殖槽の傾斜面を摺動する側部枠材の一対には、錘を設けることが好ましい。また前記側部枠材の一対には、該側部枠材よりも幅が広い長尺プレートを設け、該長尺プレートを介して養殖槽の傾斜面を摺動させることができる。さらに、前記枠組立体を管状の枠材から形成し、管内に水を導き入れるように所定の枠材に孔を設けても良い。
【発明の効果】
【０００７】
本発明の捕獲装置は、養殖槽が周縁に向かい上昇する傾斜面を有するものであっても、魚類や甲殻類などの水産物を比較的容易に捕獲することが可能である。すなわち、本発明の捕獲装置では、網の開口が枠組立体の前面枠に固定され、網の後端閉鎖部が後部枠に固定されることより、網が立体形状に保持され、前面枠には策状体が掛合されているため、捕獲装置を養殖槽内に沈めて策状体で牽引すると、側部枠が傾斜面を滑りながら、網の開口を傾斜上側に向けた状態で捕獲装置は引き揚げられる。このように捕獲装置を引き揚げるとき、傾斜面付近にいる魚類や甲殻類は網内部に捕獲される。立体形状に保持された網は、前面の開口を除いては閉じているため、魚類や甲殻類は網内部から容易に逃げ出ることができず、そのまま養殖槽内まで引き揚げられる。
【発明を実施するための最良の形態】
【０００８】
以下、図面を参照して本発明の実施形態について説明するが、本発明はこれに限定されるものではない。
【０００９】
本発明にかかる水産物の捕獲装置１０は、図１〜図３に示したように、網１１が前面の開口１１ａから後端の閉鎖部１１ｂに向けて狭くなるように形成され、この網１１が枠組立体１２に取り付けられ、牽引ロープ１６が枠組立体１２の前面枠１３に掛合されたものである。この捕獲装置１０は、養殖槽の傾斜面１７上に置かれて使用されるものである。
なお、図１は捕獲装置１０を前方から見た図であるが、後方に見える前面枠１３と網１１との位置関係を主に示すために、後部枠１５の図示を省略した。図２は捕獲装置１０を後方から見た図であるが、後部枠１５と網１１との位置関係を主に示すために、後方に見える前面枠１３の図示は省略した。
【００１０】
ここで、枠組立体１２は、図３（ａ）に示したように、前面枠１３と側部枠材１４と後部枠１５とから構成される。
前面枠１３は、図１に示したように、上辺１３ａ、両側辺１３ｂ及び下辺１３ｃが矩形になるように連結あるいは曲折されて形成されたものであり、下辺１３ｃは、両側辺１３ｂの下端よりも若干高い位置（高さＡ）に固定される。この前面枠１３には、図１に示したように網１１の前面開口１１ａが鋼線や紐１８などにより複数箇所で掛合され、網１１の前面開口１１ａを開いた状態に保持する。
側部枠材１４は、図３（ａ）に示したように、上部材１４ａ、中間材１４ｂ及び下部材１４ｃからなり、大きさの異なる前面枠１３と後部枠１５とがほぼ平行になるように連結するものであり、そのなかで下部材１４ｃは、ほぼ全長が養殖槽の傾斜面１７に接触するように配置されている。
後部枠１５は、図２に示したように、上辺１５ａ、両側辺１５ｂ及び下辺１５ｃが、前面枠１３よりも小さい矩形になるように連結あるいは曲折されて形成されたものであり、下辺１５ｃは、両側辺１５ｂの下端よりも若干高い位置（高さＢ）に固定される。この後部枠１３には、図２に示したように網１１の後端閉鎖部１１ｂが鋼線や紐１８などにより複数箇所で掛合される。
以上のように、枠組立体１２の前面枠１３において下辺１３ｃは高さＡで固定され、後部枠１５において下辺１５ｃは高さＢで固定されるため、養殖槽の傾斜面１７に接触するのは、側部枠材１４の一対の下部材１４ｃのみになる。これにより、捕獲装置１０を養殖槽の傾斜面１７上に摺動させながら牽引したときの安定性は高められる。
【００１１】
なお、枠組立体１２を構成する軸部材は樹脂製パイプから形成することも可能であり、この場合、側部枠材１４の一対の下部材１４ｃには鋼棒などの錘をパイプ内に挿設することが好ましい。下部材１４ｃに錘を設ければ、捕獲装置１０を図３（ａ）に示したように養殖槽の傾斜面１７上に置いた状態で牽引したときの安定性を高めることができる。
また樹脂製パイプには、図４及び図５に示したように、所定位置に複数の貫通孔１９を穿設することが好ましい。このように複数の貫通孔１９を穿設すれば、パイプ内に水が浸入し、浮力が作用し難くなり、捕獲装置１０を牽引したときの安定性は高められる。
さらに、側部枠材１４の一対の下部材１４ｃには、この下部材１４ｃよりも幅広な長尺プレート２０を図３（ｂ）及び図５に示したように設けることが可能である。このように長尺プレート２０を設ければ、捕獲装置１０を養殖槽の傾斜面１７上に摺動させながら牽引したときの安定性を高めることができる。
【００１２】
網１１は、前面開口１１ａが枠組立体１２の前面枠１３に掛合され、後端閉鎖部１１ｂが後部枠１５に掛合されることにより、開口１１ａを除いた面が閉ざされた状態の立体形状（ほぼ箱形状）に保持されるものである。網１１は、前面の開口１１ａから後端の閉鎖部１１ｂに向けて狭くなるように形成されたものであり、網１１の後端閉鎖部１１ｂには、ファスナー２１（開閉手段）が外側から開閉できるように設けられている。
この網１１の形状により、捕獲装置１０からは、水産物を容易に取り出し可能になる。すなわち、捕獲装置１０で水産物を捕獲して養殖槽外に引き揚げたとき、捕獲装置１０を開口１１ａが上側、後端閉鎖部１１ｂが下側になるように保持することにより、水産物は後端閉鎖部１１ｂに集められ、水産物が飛び跳ねても外側に出ることは不可能になる。そして、下側からファスナー２１を開ければ、そのまま落下して小型水槽やバケツ等の容器に簡単に移すことができる。
【００１３】
牽引ロープ１６は、図１に示したように、前面枠１３の両側辺１３ｂにおける高さＣに掛合綱１６ａが掛合され、掛合綱１６ａのほぼ中央に引き綱１６ｂが連結されたものである。この高さＣは、両側辺１３ｂの中央よりも上側、さらに好ましくは上端１／３以上の高さとする。これにより捕獲装置１０を養殖槽の傾斜面１７上に摺動させながら牽引したときの安定性を高めることができる。
【００１４】
次に、本発明にかかる水産物の捕獲装置１０の作用と効果について説明する。
養殖槽内の魚類や甲殻類を捕獲する場合には、養殖槽内の最も深い箇所に捕獲装置１０を沈めて、側部枠材１４の一対の下部材１４ｃを養殖槽内の傾斜面１７に接地させる。そして、網１１の開口１１ａは傾斜上側に向けて配置し、牽引ロープ１６の引き綱１６ｂは養殖槽外まで延ばす。この状態で捕獲装置１０を牽引ロープ１６で牽引すると、側部枠材１４の一対の下部材１４ｃが傾斜面１７を滑りながら、捕獲装置１０は養殖槽外まで引き揚げられる。このように捕獲装置１０を傾斜面１７に沿って引き揚げるときに、傾斜面付近にいる魚類や甲殻類を網１１の内部に捕獲することができる。網１１は、前面の開口を除いては閉ざされた立体形状になっているため、魚類や甲殻類が、ひとたび網内部に捕獲されると、容易に逃げ出ることができず、そのまま養殖槽外まで引き揚げることができる。
したがって、本発明にかかる水産物の捕獲装置１０を用いれば、養殖槽が周縁に向かい上昇する傾斜面を有するようなものであっても、魚類や甲殻類などの水産物を比較的容易に捕獲することが可能になる。
【図面の簡単な説明】
【００１５】
【図１】本発明の実施形態にかかる捕獲装置の正面図である。
【図２】図１の捕獲装置の背面図である。
【図３】（ａ）は図１の捕獲装置の側面図であり、（ｂ）は（ａ）に異なる構成を加えたときの側面図である。
【図４】図１の捕獲装置の上面図である。
【図５】図１の捕獲装置の底面図である。
【符号の説明】
【００１６】
１０  水産物の捕獲装置
１１  網
１１ａ  網の前面開口
１１ｂ  網の後端閉鎖部
１２  枠組立体
１３  前面枠
１４  側部枠材
１４ｃ  下部材（側部枠材のうち一対）
１５  後部枠
１６  牽引ロープ（策状体）
１７  養殖槽の底面
１９  貫通孔
２０  長尺プレート
２１  ファスナー（開閉手段）
【図１】
2007244300.tif 000003
【図２】
2007244300.tif 000004
【図３】
2007244300.tif 000005
【図４】
2007244300.tif 000006
【図５】
2007244300.tif 000007